(57)【特許請求の範囲】
【請求項１】
観察面側から照射された映像光を反射して表示するインタラクティブボード用の反射スクリーンであって、
背面側の面にリニアフレネルレンズ形状が形成された光学形状層と、
前記光学形状層よりも背面側に設けられるタッチパネル層と、
前記光学形状層と前記タッチパネル層との間に隙間なく充填され、前記光学形状層と前記タッチパネル層とを接合する接合層と、
を備え、
前記リニアフレネルレンズ形状は、レンズ面と非レンズ面とを備える単位レンズの長手方向が使用状態における画面左右方向となるように画面上下方向に配列され、前記単位レンズの前記レンズ面がスクリーン面に平行な面となす角度は、前記単位レンズの配列方向に沿って画面上側となるにつれてしだいに大きくなるように又は小さくなるように変化しており、
前記レンズ面の表面には、反射層が形成され、
前記接合層は、暗色系の色であり、少なくとも前記非レンズ面の背面側を被覆していること、
を特徴とするインタラクティブボード用の反射スクリーン。
【請求項２】
請求項１に記載のインタラクティブボード用の反射スクリーンにおいて、
前記タッチパネル層は、抵抗膜方式のタッチパネルであること、
を特徴とするインタラクティブボード用の反射スクリーン。
【請求項３】
請求項２に記載のインタラクティブボード用の反射スクリーンにおいて、
前記タッチパネル層は、印刷により形成された導電パターン層を備えること、
を特徴とするインタラクティブボード用の反射スクリーン。
【請求項４】
請求項１から請求項３までのいずれか１項に記載のインタラクティブボード用の反射スクリーンにおいて、
前記単位レンズの前記レンズ面がスクリーン面に平行な面となす角度は、前記単位レンズの配列方向に沿って画面上側となるにつれてしだいに小さくなるように変化しており、
前記反射層は、使用状態における画面上下方向において、上側端部が下側端部よりも背面側となるように傾いていること、
を特徴とするインタラクティブボード用の反射スクリーン。
【請求項５】
請求項１から請求項４までのいずれか１項に記載のインタラクティブボード用の反射スクリーンにおいて、
観察面側表面には、少なくともハードコート機能を有する表面機能層を備えること、
を特徴とするインタラクティブボード用の反射スクリーン。
【請求項６】
請求項１から請求項５までのいずれか１項に記載のインタラクティブボード用の反射スクリーンと、
前記反射スクリーンを支持する支持部と、
を備えるインタラクティブボード。
【請求項７】
請求項６に記載のインタラクティブボードと、
前記インタラクティブボードの観察面側から映像を投射する光源部と、
を備えるインタラクティブボードシステム。
【請求項８】
請求項７に記載のインタラクティブボードシステムにおいて、
前記単位レンズの前記レンズ面がスクリーン面に平行な面となす角度は、前記単位レンズの配列方向に沿って画面上側となるにつれてしだいに小さくなるように変化しており、
前記反射スクリーンの反射面は、使用状態における画面上下方向において上側端部が下側端部よりも背面となるように傾いており、
前記光源部は、使用状態における画面上方から映像光を投射すること、
を特徴とするインタラクティブボードシステム。
【発明の詳細な説明】
【技術分野】
【０００１】
本発明は、インタラクティブボード用の反射スクリーン、インタラクティブボード、インタラクティブボードシステムに関するものである。
【背景技術】
【０００２】
従来、プロジェクタ等から投射された映像光を反射して表示する反射スクリーンが利用されている（例えば、特許文献１参照）。このような反射スクリーンには、明るくコントラストの高い明瞭な表示を行うための様々な工夫がなされている。
また、近年では、会議や授業等の場面において、ボード上に描いた文字や図形を、そのままパーソナルコンピュータに入力したり、パーソナルコンピュータの画像情報をボード上に投影し、手書きされたボード上の文字や画像をパーソナルコンピュータ上に表示したりできるインタラクティブボードと呼ばれる電子黒板の利用が広まってきている（例えば、特許文献２参照）。
【先行技術文献】
【特許文献】
【０００３】
【特許文献１】特開２００８−７６５２３号公報
【特許文献２】実用新案登録第３０９３２８８号公報
【発明の概要】
【発明が解決しようとする課題】
【０００４】
インタラクティブボードとして用いるために、反射スクリーンの観察面側に、タッチペンやマーカー等による観察面への筆記等を検出するためのタッチパネル機能を有する層等を設けると、投射された映像光がタッチパネル機能を有する層を入射時及び反射時の少なくとも２回透過する必要があり、映像の輝度や解像度が低下するという問題がある。
また、反射スクリーンとして、コントラストや解像度向上等の映像の明瞭化や、薄型化や軽量化、生産コストの低減等は、常々求められているものである。
【０００５】
前述の特許文献１の反射スクリーンは、反射面よりも観察面側に、複数の層が積層されており、映像の明るさが低下するという問題がある。また、特許文献１には、インタラクティブボードとして使用するための工夫はなんらなされていない。
特許文献２に示すインタラクティブボードでは、反射スクリーンの形状等に関する詳細な記載がなく、また、上述のような課題に対する対策も開示されていない。
【０００６】
本発明の課題は、良好な映像が表示でき、安価で提供可能なインタラクティブボード用の反射スクリーン、インタラクティブボード、インタラクティブボードシステムを提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
請求項１の発明は、観察面側から照射された映像光を反射して表示するインタラクティブボード用の反射スクリーンであって、背面側の面にリニアフレネルレンズ形状が形成された光学形状層（１１，２１）と、前記光学形状層よりも背面側に設けられるタッチパネル層（１３）と、前記光学形状層と前記タッチパネル層との間に隙間なく充填され、前記光学形状層と前記タッチパネル層とを接合する接合層と、を備え、前記リニアフレネルレンズ形状は、レンズ面（１１２）と非レンズ面（１１３）とを備える単位レンズ（１１１）の長手方向が使用状態における画面左右方向となるように画面上下方向に配列され、前記単位レンズの前記レンズ面がスクリーン面に平行な面（Ｈ）となす角度（β）は、前記単位レンズの配列方向に沿って画面上側となるにつれてしだいに大きくなるように又は小さくなるように変化しており、前記レンズ面の表面には、反射層（１１４）が形成され、前記接合層は、暗色系の色であり、少なくとも前記非レンズ面の背面側を被覆していること、を特徴とするインタラクティブボード用の反射スクリーン（１０，２０）である。
【０００８】
請求項２の発明は、請求項１に記載のインタラクティブボード用の反射スクリーンにおいて、前記タッチパネル層（１３）は、抵抗膜方式のタッチパネルであること、を特徴とするインタラクティブボード用の反射スクリーン（１０，２０）である。
請求項３の発明は、請求項２に記載のインタラクティブボード用の反射スクリーンにおいて、前記タッチパネル層（１３）は、印刷により形成された導電パターン層（１３３）を備えること、を特徴とするインタラクティブボード用の反射スクリーン（１０，２０）である。
請求項４の発明は、請求項１から請求項３までのいずれか１項に記載のインタラクティブボード用の反射スクリーンにおいて、前記単位レンズ（１１１）の前記レンズ面（１１２）がスクリーン面に平行な面（Ｈ）となす角度（β）は、前記単位レンズの配列方向に沿って画面上側となるにつれてしだいに小さくなるように変化しており、前記反射層（１１４）は、使用状態における画面上下方向において、上側端部が下側端部よりも背面側となるように傾いていること、を特徴とするインタラクティブボード用の反射スクリーン（１０，２０）である。
請求項５の発明は、請求項１から請求項４までのいずれか１項に記載のインタラクティブボード用の反射スクリーンにおいて、観察面側表面には、少なくともハードコート機能を有する表面機能層（１４）を備えること、を特徴とするインタラクティブボード用の反射スクリーン（１０，２０）である。
【０００９】
請求項６の発明は、請求項１から請求項５までのいずれか１項に記載のインタラクティブボード用の反射スクリーン（１０，２０）と、前記反射スクリーンを支持する支持部（５１）と、を備えるインタラクティブボード（５０）である。
【００１０】
請求項７の発明は、請求項６に記載のインタラクティブボードと、前記インタラクティブボード（５０）の観察面側から映像を投射する光源部（Ｌｓ）と、を備えるインタラクティブボードシステムである。
請求項８の発明は、請求項７に記載のインタラクティブボードシステムにおいて、前記単位レンズ（１１１）の前記レンズ面がスクリーン面に平行な面（Ｈ）となす角度（β）は、前記単位レンズの配列方向に沿って画面上側となるにつれてしだいに小さくなるように変化しており、前記反射面（１１４）は、使用状態における画面上下方向において上側端部が下側端部よりも背面となるように傾いており、前記光源部（Ｌｓ）は、使用状態における画面上方から映像光を投射すること、を特徴とするインタラクティブボードシステムである。
【発明の効果】
【００１１】
本発明によれば、以下の効果を奏することができる。
（１）本発明によるインタラクティブボード用の反射スクリーンは、背面側の面にリニアフレネルレンズ形状が形成された光学形状層と、光学形状層よりも背面側に設けられるタッチパネル層とを備え、リニアフレネルレンズ形状は、レンズ面と非レンズ面とを備える単位レンズの長手方向が使用状態における画面左右方向となるように画面上下方向に配列され、単位レンズのレンズ面がスクリーン面に平行な面となす角度が、単位レンズの配列方向に沿って画面上側となるにつれてしだいに大きくなるように又は小さくなるように変化しており、レンズ面の表面には、反射層が形成され、非レンズ面の表面は、光を吸収する黒色層により被覆されている。
従って、非レンズ面が黒色層によって被覆されているので、反射スクリーンに入射した外光の少なくとも一部が吸収され、コントラストが向上し、明瞭な映像を表示できる。
また、この反射スクリーンは、タッチパネル層が光学形状層の反射面よりも背面側に設けられているので、タッチパネル層を反射面よりも観察面側（光源側）に設けられた反射スクリーンに比べて、タッチパネル層を透過することによって投射された映像光及び反射した映像光が吸収される等により映像の明るさが低下することを防止できる。また、解像度の低下も低減できる。
【００１２】
（２）インタラクティブボード用の反射スクリーンは、光学形状層とタッチパネル層との間に充填され、光学形状層とタッチパネル層とを接合する接合層を備える。従って、光学形状層とタッチパネル層との間が空隙となっていた場合に、入力のために光学形状層の観察面側の表面に指やタッチペン等で接触・押圧されることにより生じやすい、光学形状層のへたりや歪み、単位レンズや反射層及びタッチパネル層の破損等を極力低減することができる。
【００１３】
（３）接合層は、黒色であり、少なくとも非レンズ面を被覆するので、非レンズ面に黒色層を容易に形成することができる。
【００１４】
（４）タッチパネル層は、抵抗膜方式のタッチパネルであるので、反射層よりも背面側に配置された場合にも、入力する際の観察面への接触による圧力を検出することにより入力情報を検出することが可能である。また、タッチパネル層を反射面よりも背面側に配置できるので、投射された映像光及び反射層で反射した映像光がタッチパネル層によって遮られることがなく、輝度の高い明るい映像を表示でき、解像度の低下も低減できる。
【００１５】
（５）タッチパネル層は、導電層として印刷により形成された導電パターン層を備えるので、従来のＩＴＯ膜を利用したタッチパネルを備えるものと比較して、生産コストを低減することができる。
【００１６】
（６）単位レンズのレンズ面がスクリーン面に平行な面となす角度は、単位レンズの配列方向に沿って画面上側となるにつれてしだいに小さくなるように変化しており、反射層は、使用状態における画面上下方向において、上側端部が下側端部よりも背面側となるように傾いているので、映像光を画面上方から照射する形態の反射スクリーンとして使用可能である。従って、映像光を画面正面方向や画面下方から照射する従来の形態に比べて、観察面の前方に立つ使用者等によって、映像光が遮られることを低減することができる。
【００１７】
（７）インタラクティブボード用の反射スクリーンは、少なくともハードコート機能を備える表面機能層を備えるので、観察面側の耐傷性が向上し、表面が傷つきにくくなる。また、紫外線吸収機能や帯電防止機能等、適宜必要な機能を組み合わせた表面機能層とすることにより、インタラクティブボード用の反射スクリーンの機能性を向上できる。
【００１８】
（８）本発明によるインタラクティブボード用の反射スクリーンと、この反射スクリーンを支持する支持部とを備えるインタラクティブボード、及び、このインタラクティブボードと、観察面側から映像を投射する光源部とを備えるインタラクティブボードシステムであるので、明るくコントラストの明瞭な映像が表示でき、また、安価に製造することができる。
【００１９】
（９）インタラクティブボードシステムは、反射スクリーンの単位レンズのレンズ面がスクリーン面に平行な面となす角度が単位レンズの配列方向に沿って画面上側となるにつれてしだいに小さくなるように変化しており、その反射面が、使用状態における画面上下方向において上側端部が下側端部よりも背面側となるように傾いており、光源部が、使用状態における画面上方から映像光を投射する形態となっている。従って、映像光を画面正面方向や画面下方から照射する従来の形態に比べて、観察面の前方に立つ使用者等によって、映像光が遮られることを低減することができ、インタラクティブボードシステムとしての利便性を高めることができる。
【図面の簡単な説明】
【００２０】
【図１】第１実施形態のインタラクティブボード及びインタラクティブボードシステムを示す図である。
【図２】第１実施形態の反射スクリーンの層構成を示す図である。
【図３】第１実施形態のレンズ層を説明する図である。
【図４】レンズ層に入射する映像光及び外光の様子を示す図である。
【図５】電極フィルムを説明する図である。
【図６】第２実施形態の反射スクリーンの層構成を説明する図である。
【図７】変形形態の電極フィルムの平面図である。
【発明を実施するための形態】
【００２１】
以下、図面等を参照して、本発明の実施形態について説明する。
なお、図１を含め、以下に示す各図は、模式的に示した図であり、各部の大きさ、形状は、理解を容易にするために、適宜誇張している。
また、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、特許請求の範囲の記載は、シートという記載で統一して使用した。従って、シート、板、フィルムの文言は、適宜置き換えることができるものとする。例えば、光学シートは、光学フィルムとしてもよいし、光学板としてもよい。
さらに、本明細書中に記載する各部材の寸法等の数値及び材料名等は、実施形態としての一例であり、これに限定されるものではなく、適宜選択して使用してよい。
【００２２】
（第１実施形態）
図１は、第１実施形態のインタラクティブボード及びインタラクティブボードシステムを示す図である。
本実施形態のインタラクティブボードシステムは、インタラクティブボード５０と、投影機Ｌｓと、インタラクティブボード５０の観察面上に文字や図形等を描画可能な入力部６０と、パーソナルコンピュータ７０等の制御部とを備えている。
インタラクティブボード５０は、支持部材５１とインタラクティブボード用の反射スクリーン（以下、理解を容易にするため、単に反射スクリーン又はボードという）１０とを備えている。このインタラクティブボード５０は、図１に示すように、観察面側の上方から投射された映像光を、その観察面に表示可能である。
【００２３】
反射スクリーン１０は、インタラクティブボード５０の観察面側上方に位置する投影機Ｌｓから投射された映像光を観察面の略正面方向へ反射し、観察面に映像を表示する。この反射スクリーン１０は、入力部６０を用いて使用者Ｓが観察面上に文字等の情報を描画可能である。また、反射スクリーン１０は、一般的なホワイトボード等のように、マーカー等の所定の筆記具を用いてその表面（観察面）に手書きで文字や図形等の情報を描画したり、描画した文字等を消去したりすることができる。この反射スクリーン１０の層構成等に関する詳細は、後述する。
本実施形態の反射スクリーン１０は、観察面側から見て略矩形状であり、その画面サイズが対角８０インチサイズ（１２２０×１６２０ｍｍ）である。
【００２４】
支持部材５１は、反射スクリーン１０を所定の高さで保持する部材である。この支持部材５１は、反射スクリーン１０の四辺や背面を保持してその平面性を維持し、かつ、所定の高さに反射スクリーン１０を支持する。本実施形態の反射スクリーン１０は、支持部材５１の支持板５５に接合層５４を介して接合されることにより、その平面性が維持されている。
支持板５５は、インタラクティブボード５０の支持部材５１の一部であり、反射スクリーン１０の背面側に設けられ、反射スクリーン１０の平面性を維持する部材である。この支持板５５は、木製や金属製、樹脂製等の板状の部材やガラス板等を使用することができる。また、反射スクリーン１０を移動させる必要が無い場合には、支持板５５として壁面等を利用することも可能である。なお、反射スクリーン１０が十分な剛性を有し、平面性を維持できる場合には、支持板５５を設けない形態としてもよい。
接合層５４は、粘着剤又は接着剤により形成され、反射スクリーン１０を支持板５５に接合させる層である。
支持部材５１は、反射スクリーン１０の高さを変えられるものとしてもよいし、変えられないものとしてもよい。また、図１に示すように、支持部材５１の床面との接地部分に車輪５２等を設けて、移動可能な形態としてもよい。
【００２５】
投影機Ｌｓは、反射スクリーン１０に対して観察面側斜め上方から映像光を投射する光源部である。この投影機Ｌｓは、図１に示すように、インタラクティブボード５０とは別体とし、室内の天井等に適宜取り付けられたものとしてもよいし、図１中に破線で示すように支持部材５１の上部から反射スクリーン１０の観察面側に伸びるように設けられた投影機取り付け部５３に設置された形態としてもよい。
この投影機Ｌｓは、汎用のプロジェクタ等を用いることができる。例えば、ＤＬＰ、ＬＣＤ方式等の光源装置を用いてもよいし、プロジェクタとしての機能を有するデジタルカメラ等を用いてもよく、使用目的や使用環境に応じて適宜選択できる。
【００２６】
入力部６０は、反射スクリーン１０の観察面にタッチするためのタッチペンやマーカーや指等である。本実施形態では、観察面上への描画やタッチの検出は、反射スクリーン１０に設けられた後述のタッチパネル層１３（図２参照）によって行われる。
本実施形態のタッチパネル層１３は、入力部６０が反射スクリーン１０の観察面に接触した際の圧力を感知することにより、入力部６０によって観察面に描画された情報等を検出し、それらの情報を、制御部へ伝送する機能を有している。このタッチパネル層１３の形状の詳細については、後述する。
【００２７】
パーソナルコンピュータ７０は、反射スクリーン１０に表示する画像情報等を投影機Ｌｓへ出力したり、タッチパネル層１３からの情報を取り込んでデータ化したり、取り込んだ情報を含む映像を出力したりする制御部と、反射スクリーン１０に表示する画像情報や、各種のアプリケーションのプログラム等を記憶する記憶装置である不図示の記憶部とを備えている。制御部は、例えば、ＣＰＵ（中央処理装置）等から構成され、インタラクティブボードシステムを統括的に制御する部分である。この制御部は、タッチパネル層１３からの検出信号に基づいて、入力部６０が接触した観察面の座標位置を判定したり、入力部６０で描画された文字や図形等を判別したりする。
本実施形態のパーソナルコンピュータ７０は、ＵＳＢケーブル等を用いて有線で、タッチパネル層１３及び投影機Ｌｓと接続されて通信可能となっているが、これに限らず、少なくとも一方と無線で通信可能な形態としてもよい。なお、本実施形態ではパーソナルコンピュータ７０を用いる例を示したが、少なくともインタラクティブボードシステムを統括的に制御可能な機能を有するものであれば、例えば、携帯電話等の携帯情報端末を用いてもよく、使用環境等に応じて適宜選択して用いてよい。
【００２８】
本実施形態のインタラクティブボードシステムは、以上の構成により、パーソナルコンピュータ７０が映像情報を投影機Ｌｓに出力し、投影機Ｌｓがインタラクティブボード５０の観察面へ映像光を投射し、インタラクティブボード５０の観察面に映像が表示される。また、タッチパネル層１３は、入力部６０を用いて使用者Ｓによって接触された観察面の座標位置を検出し、パーソナルコンピュータ７０は、その座標位置を判定する。
この位置情報は、例えば、パーソナルコンピュータ７０の画面の位置情報と、観察面の位置情報（座標情報）とが一致するように、使用者Ｓがインタラクティブボード５０又はパーソナルコンピュータ７０の調節部（図示せず）を操作して、予め調整しておくことができる。このような形態とすれば、例えば、使用者Ｓが入力部６０を用いて反射スクリーン１０の観察面上に描画した図形や文字等を、投影画像と組み合わせ、図形や文字等が投影画像上に描かれたように表示することができる。また、例えば、パーソナルコンピュータ７０の表示画面をインタラクティブボード５０に表示し、使用者Ｓは、マウス等で操作するように入力部６０を操作してパーソナルコンピュータ７０を操作することもできる。
【００２９】
図２は、第１実施形態の反射スクリーンの層構成を示す図である。図２では、反射スクリーン１０を、使用状態における垂直方向に平行であって、反射スクリーン１０の厚み方向（スクリーン面に直交する方向）に平行な方向で切断した場合の断面の一部を拡大して示している。
ここで、スクリーン面とは、反射スクリーン１０全体として見たときにおける、スクリーンの平面方向となる面を示すものであり、本明細書中及び特許請求の範囲において、同一の定義として用いている。
図２に示すように、反射スクリーン１０は、レンズ層１１、接合層１２、タッチパネル層１３、表面機能層１４等を有している。
【００３０】
表面機能層１４は、反射スクリーン１０の観察面側に設けられる層であり、筆記等を行いやすい平滑性を有しながら、反射スクリーン１０の観察面を傷等から保護する耐傷性（ハードコート機能）と、室内の照明等の反射や映り込み等を低減する防眩機能とを備えている。
本実施形態の表面機能層１４は、レンズ層１１の後述するレンズ基材層１１６の観察面側表面に、スチレン粒子（平均粒径７．５〜８．０μｍ、屈折率１．５９）を含有する電離放射線硬化型樹脂（例えば、多官能アクリルモノマーとビニルモノマーとを重合させたものにシリコン系レベリング剤を添加したもの）を膜厚７μｍ程度で塗布して形成されている。そして、本実施形態の表面機能層１４は、その表面粗さである算術平均粗さＲａ（ＪＩＳ  Ｂ０６０１−２００１）が１３６ｎｍ、最大高さＲｚ（ＪＩＳ  Ｂ０６０１−２００１）が４５３ｎｍであり、防眩機能を発揮するに十分な表面粗さを有しつつ、筆記性を妨げることはない。
【００３１】
図３は、レンズ層を説明する図である。図３（ａ）は、レンズ層１１を単体で背面側から見た図であり、図３（ｂ）は、画面上下方向に平行であってスクリーン面に直交する断面の一部を拡大して示している。なお、図３では、理解を容易にするために、レンズ層１１以外の層は省略して示している。
レンズ層１１は、レンズ形状層１１５とレンズ基材層１１６とを備えている。
レンズ基材層１１６は、シート状の部材であり、観察面側には表面機能層１４が設けられ、背面側にレンズ形状層１１５が形成されている。このレンズ基材層１１６は、レンズ形状層１１５のベース（基材）としての機能を有している。
【００３２】
レンズ形状層１１５は、レンズ基材層１１６の背面側に一体に設けられ、背面側の面に、単位レンズ１１１がスクリーン面に沿って配列ピッチＰで一方向に配列されたリニアフレネルレンズ形状が形成された光学形状層を有する。
単位レンズ１１１は、断面形状が背面側に凸となり、角度αとなる頂角を有する略三角柱形状であり、この頂角を形成する２つの平面であるレンズ面１１２と非レンズ面１１３を備えている。単位レンズ１１１は、その長手方向を画面左右方向とし、スクリーン面に沿って画面上下方向に配列されている。
【００３３】
本実施形態のレンズ基材層１１６は、例えば、ＰＥＴ製のシート状の部材等を用いることができる。また、レンズ形状層１１５は、紫外線硬化型樹脂により形成されている。なお、レンズ形状層１１５は、電子線硬化型樹脂等の他の電離放射線硬化型樹脂により形成してもよい。そして、このレンズ層１１は、例えば、表面機能層１４が一方の面に形成されたシート状の部材（本実施形態では、ＰＥＴ樹脂製のシート状の部材）の他方の面に、ＵＶ成形法等によりレンズ形状層１１５を形成することにより作成することができる。このような形態とすれば、よりピッチの細かな単位レンズ１１１を形成することができ、明るく明瞭な映像を表示できる。
また、レンズ層１１は、使用者Ｓが観察面を接触することにより、後述のタッチパネル層１３の観察面側の電極フィルム１３０Ａと一体となって、背面側の電極フィルム１３０Ｂに接触可能な程度の柔軟性を有することが好ましい。
【００３４】
単位レンズ１１１のレンズ面１１２は、スクリーン面に平行な仮想平面Ｈと角度βをなし、画面上下方向において上側の端部が、下側の端部よりも背面側となるように傾斜している。そして、レンズ面１１２の表面には、反射層１１４が形成されている。反射層１１４は、銀やアルミニウムを蒸着することにより形成され、映像光を観察者側へ反射する機能を有している。
単位レンズ１１１の非レンズ面１１３は、スクリーン面に平行な仮想平面Ｈに対して角度γ（γ≧β）をなしており、映像光の反射には寄与しない面である。
【００３５】
本実施形態のレンズ層１１は、その総厚（反射スクリーン１０の厚み方向におけるレンズ基材層１１６の観察面側の面から反射層１１４を含む単位レンズ１１１の頂点までの寸法）ｔが、ｔ＝１００〜３００μｍの範囲内である。また、単位レンズ１１１の配列ピッチＰは一定であり、Ｐ＝５０〜１３０μｍの範囲内が好ましい。さらに、角度βは０〜２３°、より好ましくは６〜２３°であり、角度γは７８〜９０°、より好ましくは９０°である。
この角度β及び角度γの範囲は、レンズ基材層１１６及びレンズ形状層１１５の屈折率が１．４〜１．６の範囲内であり、反射スクリーン１０の画面への映像光の入射角度（画面上下方向における入射角度）が２０〜８０°とした場合を想定して設定している。
【００３６】
ここで、図２及び図３では、理解を容易にするために、角度α及び角度βを一定として示しているが、本実施形態のリニアフレネルレンズ形状では、単位レンズ１１１の配列ピッチＰが略一定であり、画面上下方向（単位レンズ１１１の配列方向）において上側となるにしたがって、角度βが小さくなっている。また、レンズ形状層１１５の総厚は、一定であり、画面上下方向において上側となるにしたがって、単位レンズ１１１の高さ（単位レンズ１１１の頂点から谷底までの深さ）は、しだいに小さくなっている。
なお、リニアフレネルレンズ形状は、これに限らず、例えば、配列ピッチＰが単位レンズ１１１の配列方向においてしだいに変化してもよいし、単位レンズ１１１の高さが一定であってもよい。また、角度γは、画面上下方向上側となるにしたがい大きくなる形態としてもよいし、一定であってもよい。
【００３７】
図４は、レンズ層１１に入射する映像光及び外光の様子を示す図である。なお、図４では、理解を容易にするために、レンズ層１１のみを示しており、レンズ基材層１１６及びレンズ形状層１１５は、屈折率が等しいものとして示している。
レンズ層１１は、図４（ａ）に示すように、画面上方から照射された映像光Ｌ１は、レンズ面１１２に形成された反射層１１４により、観察面の正面方向となる観察者側へ向けて反射される。また、映像光Ｌ１とは異なる方向から入射する外光（照明光や窓からの光等）は、図４（ｂ），（ｃ）中にＬ２〜Ｌ４で示すように、反射スクリーン１０の上方や下方等、観察者の視野角範囲外となる方向へ反射される。
従って、レンズ層１１は、映像光を観察者側へ反射し、かつ、外光の映りこみや外光によるコントラストの低下等を大幅に低減できる。
【００３８】
図２に戻って、接合層１２は、レンズ層１１とタッチパネル層１３との間に形成される空間に充填され、レンズ層１１とタッチパネル層１３とを一体に接合する層である。本実施形態の接合層１２は、黒色顔料を含有しており黒色の層となっている。
仮に、接合層１２が設けられない場合、レンズ層１１とタッチパネル層１３との間は空隙となる。このとき、入力部６０によって観察面に筆記されると、筆記された箇所の単位レンズ１１１がタッチパネル層１３に押接され、単位レンズ１１１及び反射層１１４や、タッチパネル層１３の破損等が生じるおそれがある。しかし、本実施形態では接合層１２を備えているので、上述のような破損等を防止することができる。
また、仮に、接合層１２が設けられていない反射スクリーンの場合、特定の箇所に筆記等が集中すると、レンズ層１１のその箇所等に、へたりや歪み等の変形が生じる場合がある。しかし、本実施形態では接合層１２を備えているので、そのような変形を防止することができる。
【００３９】
加えて、接合層１２は、レンズ層１１のリニアフレネルレンズ形状の表面を被覆しているため、非レンズ面１１３は、その表面が黒色樹脂で被覆された状態となっている。
レンズ層１１の背面側に黒色の接合層１２を設けることにより、表面機能層１４の表面等の微細な凹凸等で屈折し、レンズ層１１への入射角度が変化した外光等の一部が非レンズ面１１３に入射し、黒色の接合層１２によって吸収されるので、外光によるコントラストの低下を低減できる。
【００４０】
本実施形態のタッチパネル層１３は、動作原理分類で抵抗膜方式に分類されるタッチパネルであり、少なくとも一方側の電極フィルムとして、導電パターン層１３３を備える電極用フィルムを用いている。
タッチパネル層１３は、図２に示すように、２枚の電極フィルム１３０Ａ，１３０Ｂを、その電極面（導電パターン層１３３が形成されている側の面）を対向させ、不図示のスペーサにより所定の間隔Ｇを空けて配置されている。
図５は、電極フィルム１３０Ａ，１３０Ｂを説明する図である。図５（ａ）は、電極フィルム１３０Ａ、１３０Ｂの断面図であり、図５（ｂ）は、電極フィルム１３０Ａ，１３０Ｂの平面図であり、図５（ｃ）は、導電パターン層１３３の拡大斜視図である。
電極フィルム１３０Ａ，１３０Ｂは、図５（ａ）に示すように、その中央部に位置し、反射スクリーン１０の観察面（表示面）に対峙する領域に導電パターン層１３３が形成された導電メッシュパターン部１３４と、その導電パターン層１３３が形成されない周辺部１３５とを有している。なお、図５（ｂ）において、周辺部１３５に形成された配線等は省略して示している。
また、電極フィルム１３０Ａ，１３０Ｂは、図２及び図５（ａ）に示すように、いずれも、電極基材層１３１、プライマー層１３２、導電パターン層１３３を備えている。
【００４１】
電極基材層１３１は、電極フィルム１３０Ａ，１３０Ｂのベースとなるフィルム状の部材であり、所定の透明性、機械的強度、プライマー層１３２との接着性等、タッチパネル用として好ましい特性を有している。電極基材層１３１は、樹脂製のものやガラス基材等の無機基材を用いることができる。特に、観察面側となる電極フィルム１３０Ａの電極基材層１３１は、使用者Ｓが観察面を接触することにより、対向する電極フィルム１３０Ｂに導体接触可能な柔軟性を有することが必要である。一方、背面側に位置する電極フィルム１３０Ｂのように、固定側となる場合には、柔軟性は特に必要とせず、またその厚さも特に制限はなく、適宜選択して用いてよい。
【００４２】
電極基材層１３１は、樹脂を用いて作製する場合には、メタクリル樹脂も含むアクリル樹脂、ポリエステル樹脂をベースとするフィルムが好ましいが、トリアセチルセルロース等のセルロース系樹脂、ＰＥＴ樹脂、ポリエステル樹脂、ポリオレフィン樹脂、スチレン系樹脂等が使用できる。二軸延伸ＰＥＴフィルムが透明性、耐久性に優れ、その後の工程で紫外線照射処理や加熱処理を経た場合にも、熱変形等を生じない耐熱性を有する点で好ましい。
また、電極基材層１３１を無機材料で形成する場合には、ソーダガラス、カリガラス、鉛ガラス、石英ガラス等のガラス、結晶性石英（水晶）、方解石（炭酸カルシウム）等の透明無機結晶、ＰＬＺＴ（チタン酸ジルコン酸ランタン鉛）等の透明セラミックス等を用いてもよい。
観察面側（入力側）となる電極フィルム１３０Ａの電極基材層１３１は、ＰＥＴ樹脂の場合、１００〜１８８μｍ程度であり、支持板５５側（固定側）となる電極フィルム１３０Ｂの電極基材層１３１は、ガラス基材の場合、５０〜５０００μｍ程度である。
【００４３】
プライマー層１３２は、電極基材層１３１の片面に設けられる。プライマー層１３２は、電極基材層１３１と導電パターン層１３３の双方に対して密着性がよい材料であることが好ましい。
プライマー層１３２は、電離放射線硬化型樹脂や熱可塑性樹脂を塗工して形成されることが好ましく、密着性や耐久性改善、各種物性付与のため、熱安定剤、酸化防止剤、紫外線吸収剤等の各種添加剤や変性樹脂を使用してもよい。
熱可塑性樹脂としては、例えば、ＰＭＭＡ（ポリメチルメタクリレート）等のアクリル樹脂、塩化ビニル−酢酸ビニル共重合体、ポリエステル樹脂、ポリオレフィン樹脂等を用いることができる。
電離放射線硬化型樹脂としては、紫外線を照射されることにより硬化する紫外線硬化型樹脂や、電子線を照射されることにより硬化する電子線硬化型樹脂等の他にも、可視光線やＸ線、γ線等の電磁波や、α線等の荷電粒子線の照射により硬化を生じるものを用いてもよい。
プライマー層１３２の厚さは、特に限定しないが、通常は、硬化後の厚さで、１〜１００μｍ程度となるように形成される。
【００４４】
導電パターン層１３３は、プライマー層１３２上に所定のパターンで設けられている。本実施形態の導電パターン層１３３は、メッシュ（網目模様又は格子模様）パターン状に設けられているが、これに限らず、例えば、ストライプ（縞模様又は平行線群）パターンや、スパイラル（螺旋又は渦巻）パターン等としてもよい。
導電パターン層１３３は、図５（ｃ）に示すように、その線幅Ｗが５〜２００μｍであり、線間のピッチＰ２が１００〜１０００μｍであり、開口率（導電メッシュパターン部１３４の全面積中における開口部１３６の合計面積が占める比率）は、通常、５０〜９０％程度となっている。
また、導電パターン層１３３の厚さＴＣは、その中央部（頂部）での測定において、２〜５０μｍであり、好ましくは５〜２０μｍである。
【００４５】
導電パターン層１３３は、例えば、不図示の板状又は円柱状の印刷版の版面に、所定のメッシュパターンで設けられた凹部（不図示）に導電性組成物を充填し、それをプライマー層１３２上に転写し、導電性組成物の硬化処理（乾燥処理、紫外線・電子線照射処理、加熱処理、冷却処理等）を行うことにより形成される。
導電性組成物は、凹部に充填する時点では、流動性を有しており、転写されて所望のパターンを形成し、硬化した時点で所望の導電性を発現するものである。例えば、導電性粒子とバインダ樹脂とを含み、必要に応じてさらにその樹脂を溶解又は分散する溶剤又は分散剤を含んだ流動性を有するインキ又はペースト状の材料である。導電パターン層１３３は、この導電性組成物を乾燥又は硬化させた後の固形物からなる塗膜のことである。
【００４６】
この導電パターン層１３３を形成する導電性組成物は、最終的に導電性の層となっているものであれば、特に限定しない。
例えば、導電性組成物を構成する導電性粒子としては、金、銀、白金、銅、錫、パラジウム、ニッケル、アルミニウム等の低抵抗率金属粒子や、これら低抵抗率金属以外の材料からなる粒子（例えば、上述の低抵抗率金属以外の金属粒子、アクリル樹脂等の樹脂粒子、シリカ、アルミナ等の無機粒子）の表面に、金や銀等の低抵抗率金属をめっきした粒子、カーボンブラック等の導電性炭素の粒子、導電性セラミックスや導電性有機高分子化合物の粒子等も使用できる。導電性粒子の形状は、球状、回転楕円体状、多面体状、鱗片状、円盤状、繊維状等、適宜選択できる。
【００４７】
導電性粒子の大きさは、種類に応じて、適宜選択でき、例えば、鱗片状の銀粒子の場合は、平均粒径が０．１〜１０μｍ程度のものを用いることができ、カーボンブラック粒子の場合は平均粒径が０．０１〜１μｍ程度のものを用いることができる。なお、導電パターン層１３３の電気抵抗を低くする観点から、相対的に大粒子径の粒子と相対的に小粒子径の粒子とを混合させたものや、ある程度粒度分布を持った粒子を用いることが好ましい。
導電性組成物中の導電性粒子の含有量は、導電性粒子の導電性や粒子の形態に応じて任意に選択される。例えば、導電性組成物の固形分１００質量部のうち、導電性粒子を１０〜９９質量部の範囲内で含有させることができる。
【００４８】
ここで、本実施形態の反射スクリーン１０の実施例に相当する実施例の反射スクリーンと比較例の反射スクリーンを用意し、その光学性能に関して調べた。
実施例の反射スクリーンは、本実施形態の実施例に相当し、上述の本実施形態の反射スクリーン１０と略同様の形態である。
比較例の反射スクリーンは、接合層１２が略透明であり、少なくとも非レンズ面１１３が黒色の層により被覆されていない点が本実施形態とは異なる以外は、本実施形態の反射スクリーン１０と略同様の形態である。
【００４９】
なお、実施例及び比較例の反射スクリーンにおいて、レンズ基材層１１６は、厚さ１００μｍのＰＥＴ樹脂製のシート状の部材（屈折率１．５５）であり、レンズ形状層１１５は、ウレタンアクリレートやエポキシアクリレート等紫外線硬化型樹脂製（屈折率１．５５）である。また、実施例及び比較例の反射スクリーンでは、角度βは、画面上側端部から下側端部へ向かうにつれて大きくなり、その範囲が６〜２０°であり、角度γは、γ＝９０°である。さらに、単位レンズの配列ピッチＰ＝５０μｍ、レンズ層１１の総厚ｔ＝１４０μｍである。
【００５０】
測定方法としては、実施例及び比較例の反射スクリーンを備えるインタラクティブボード及びインタラクティブボードシステムを用意し、明室環境下において、実際に反射スクリーンに投影機Ｌｓから映像光を投射して観察面に映像を表示し、その映像のコントラストを、画面の中央から画面の正面方向に３ｍ離れた位置から目視により評価した。
評価の結果、比較例の反射スクリーンでは、コントラストの低下が見られ、映像が白っぽく観察された。一方、接合層１２を黒色とし、非レンズ面１１３の背面側表面を黒色樹脂で被覆した実施例の反射スクリーンは、コントラストが良好であった。
実施例の反射スクリーン及び比較例の反射スクリーンでは、図４に示すように、反射層１１４によって映像光は観察者側へ反射するが、主たる外光は観察者の視野角範囲外となる反射スクリーン１０の下方や上方へ反射し、これによりコントラストの向上を図っている点は同様である。実施例の反射スクリーン１０では、さらに接合層１２を黒色として、非レンズ面１１３の背面側表面を黒色樹脂で被覆しているので、表面機能層１４の表面の凹凸形状によって拡散された一部の外光が反射層で反射する等して非レンズ面１１３から黒色の接合層１２に入射して吸収され、これにより、コントラスト向上効果が高められ、非レンズ面１１３の背面側表面を黒色樹脂で被覆していない比較例の反射スクリーンに比べ、高いコントラストの映像を表示できたと考えられる。
【００５１】
以上のことから、本実施形態によれば、明るくコントラストが良好であり、解像度の高い映像を表示でき、インタラクティブボードとしての機能も良好なインタラクティブボード用の反射スクリーン、及びこれを備えるインタラクティブボード、インタラクティブボードシステムを提供できる。
また、本実施形態によれば、タッチパネル層１３は、抵抗膜方式であり、ＩＴＯ膜を使用することなく、印刷により形成可能な導電パターン層１３３を導電層として使用するので、安価に製造できる。しかも、本実施形態によれば、反射スクリーンの構成を簡単にすることができ、薄型化・軽量化を図ることができる。
【００５２】
さらに、レンズ層１１とタッチパネル層１３との間に接合層１２が充填されているので、筆記時等の圧力等により生じるレンズ層１１のへたりや歪み等を低減でき、剛性も上がるので平面性も向上できる。また、単位レンズ１１１の頂点により、タッチパネル層１３が破損することを防止できる。また黒色の接合層１２を充填することにより、非レンズ面１１３を容易に黒色で被覆できる。
さらにまた、本実施形態によれば、レンズ形状層１１５は、紫外線硬化型樹脂により形成されるので、よりピッチの細かいリニアフレネルレンズ形状とすることができ、より明瞭な映像を表示できる。
【００５３】
（第２実施形態）
図６は、第２実施形態の反射スクリーンの層構成を説明する図である。図６では、図２と同様に、画面上下方向に平行であってスクリーン面に直交する断面の一部を拡大して示している。
第２実施形態の反射スクリーン２０は、レンズ層２１の形状が第１実施形態とは異なる点以外は、前述の第１実施形態の反射スクリーン１０と略同様である。従って、前述の第１実施形態と同様な機能を果たす部分には、同一の符号又は末尾に同一の符号を付して、重複する説明を適宜省略する。
第２実施形態の反射スクリーン２０は、観察面側から順に、表面機能層１４、レンズ層２１、接合層１２、タッチパネル層１３を備えている。この反射スクリーンは、図１に示すように接合層５４を介して支持板５５に接合されており、前述の第１実施形態の反射スクリーン１０と同様に、支持部材５１に取り付けられ、インタラクティブボード５０及びインタラクティブボードシステム１として使用可能である。
【００５４】
レンズ層２１は、その背面側に、単位レンズ１１１がスクリーン面に沿って配列ピッチＰで一方向に配列されたリニアフレネルレンズ形状が形成された光学形状層である。このリニアフレネルレンズ形状は、前述の第１実施形態のリニアフレネルレンズ形状と同様の形状であり、反射層が形成されたレンズ面１１２と非レンズ面とを備える単位レンズ１１１がスクリーン面に沿って画面上下方向に配列されて形成されている。
このレンズ層２１の厚さ（レンズ層２１の観察面側の面から反射層を含む単位レンズ１１１の頂点までの寸法）は、１００〜２５０μｍの範囲内適宜選択可能である。
【００５５】
レンズ層２１は、熱可塑性樹脂を用いて押し出し成形により形成されている。熱可塑性樹脂としては、ＭＳ（メチルメタクリレート・スチレン）、ＭＢＳ（メチルメタクリレート・ブタジエン・スチレン）、ＡＳ（アクリルスチレン）、ＴＡＣ（トリアセテートセルロース）、ＰＥＴ（ポリエチレンテレフタレート）、ＰＣ（ポリカーボネート）樹脂等、適宜選択できる。本実施形態のレンズ層２１は、ＭＢＳ樹脂（屈折率１．５５）を押し出し成形することにより形成されている。
レンズ層２１は、使用者Ｓが観察面を接触することにより、後述のタッチパネル層１３の観察面側の電極フィルム１３０Ａと一体となって、背面側の電極フィルム１３０Ｂに接触可能な程度の柔軟性を有することが好ましい。
【００５６】
前述の第１実施形態の効果に加え、このような形態とすることにより、レンズ層１１は、単層となり、反射層１１４より観察面側の層構成が少なく、各層の界面での反射損失を低減でき、またその厚みも薄くできるので、より明るい映像を表示できる。また、レンズ層２１は、押し出し成形により製造できるので、製造が容易に行え、生産コストを低減できる。
【００５７】
（変形形態）
以上説明した各実施形態に限定されることなく、種々の変形や変更が可能であって、それらも本発明の範囲内である。
（１）各実施形態において、タッチパネル層１３は、抵抗膜方式である例を示したが、これに限らず、例えば、超音波方式のタッチパネル等を使用してもよい。
【００５８】
（２）各実施形態において、レンズ面１１２は、略平滑面である例を示したが、これに限らず、例えば、レンズ面１１２に微細な凹凸形状を形成し、レンズ面１１２に形成される反射層１１４に拡散反射作用を付与してもよい。このような形態とすれば、映像光が反射層で拡散反射されるので、明るさの均一性の向上等の効果が得られる。
【００５９】
（３）各実施形態において、反射層１１４は、金属の蒸着膜である例を示したが、これに限らず、例えば、レンズ面１１２に白色インキを塗布して反射層としてもよい。この場合、映像光が反射層で拡散反射されるので、明るさの均一性の向上等の効果が得られる。
【００６０】
（４）第１実施形態において、レンズ層１１は、拡散材等を含有してない例を示したが、これに限らず、レンズ層１１は、拡散材等を含有する形態としてもよい。このような形態とすることにより、映像光が拡散され、明るさの均一性向上等の効果が得られる。
【００６１】
（５）各実施形態において接合層１２は、黒色である例を示したが、これに限らず、例えば、黒色以外の暗色系の色を用いてもよいし、透明又は半透明としてもよい。接合層１２を透明又は半透明とする場合には、非レンズ面１１３に黒色層（不図示）を形成すると、コントラスト向上効果を得られる。
【００６２】
（６）各実施形態において、レンズ層１１，２１は、リニアフレネルレンズ形状を有する例を示したが、これに限らず、例えば、単位レンズ１１１がレンズ層１１，２１外の点を中心として同心円状に配列されたサーキュラーフレネルレンズ形状としてもよい。
【００６３】
（７）第１実施形態において、レンズ層１１のレンズ基材層１１６は、拡散材を含有していない例を示したが、これに限らず、例えば、レンズ基材層１１６が略均一に分布する拡散材を含有している形態としてもよい。
また、第１実施形態において、レンズ層１１は、レンズ基材層１１６が背面側にレンズ形状層１１５を備える例を示したが、これに限らず、レンズ層は、例えば、観察面側に表面機能層１４を備えたレンズ基材層の背面側の面と、背面側にレンズ形状層１１５が形成された拡散基材層（拡散シート）の観察面側の面とを、粘着剤又は紫外線硬化型樹脂等により接合した形態としてもよい。
さらに、第２実施形態において、レンズ層２１は、押し出し成形により形成され、観察面側の面に表面機能層１４が形成される例を示したが、これに限らず、例えば、観察面側に表面機能層１４が形成された基材層（例えば、ＰＥＴ樹脂製シート状の部材）の背面側の面と、レンズ層２１の観察面側の面とを粘着剤又は紫外線硬化型樹脂等により接合した形態としてもよい。
【００６４】
（８）各実施形態において、反射スクリーン１０、２０は、観察面側上方から映像光が投射される例を示したが、これに限らず、例えば、観察面側の下方から映像光を投射する形態としてもよい。この場合、レンズ層１１，２１の単位レンズ１１１は、画面上下方向において上下方向を反転させた形態とする。
【００６５】
（９）各実施形態において、電極フィルム１３０Ａ，１３０Ｂは、導電メッシュパターン部１３４が１つ形成される例を示したが、これに限らず、例えば、複数領域に分割された導電メッシュパターン部が電極基材層上に形成される形態とし、入力部６０の観察面に対する複数の点における接触を検出可能なマルチタッチ用のタッチパネル層を構成する電極フィルムとして用いてもよい。
図７は、変形形態の電極フィルムの平面図である。
図７に示すように、変形形態の電極フィルム３３０の導電メッシュパターン部３３４は、複数の領域に分割され、個々の導電メッシュパターン部から配線３３７が設けられている。なお、図示しないが、配線は、図７中に示す導電メッシュパターン部３３４の右側からも出ている。
このような電極フィルム３３０を２枚用い、１枚の電極フィルム３３０は、図７に示すようにその長手方向が画面左右方向となるように導電メッシュパターン部３３４を設け、もう１枚の電極フィルム３３０は、導電メッシュパターン部３３４の長手方向が画面上下方向となるように設け、２枚の電極フィルム３３０の導電メッシュパターン部３３４の長手方向が互いに直交するように配置することにより、マルチタッチ用のタッチパネル層とすることができる。
このような電極フィルム３３０であっても導電メッシュパターン部３３４を印刷により容易に形成でき、生産コストを低減できる。
【００６６】
（１０）各実施形態において、タッチパネル層１３は、導電パターン層１３３を備える電極フィルム１３０Ａ，１３０Ｂを備える例を示したが、これに限らず、例えば、一方の電極フィルムを導電層がＩＴＯ膜からなる電極フィルムとしてもよい。
【００６７】
（１１）各実施形態において、表面機能層１４は、耐傷性（ハードコート機能）と防眩機能とを備える例を示したが、これに限らず、例えば、照明光の反射等を抑える反射防止機能、帯電防止層機能、紫外線吸収機能、防汚機能、着色や減光機能等を備える層としてもよい。
反射防止機能を有する場合は、照明光等の映りこみを防止し、コントラストを向上させることができる。帯電防止機能を有する場合は、静電気を除去し、観察面上への埃等の付着を防止できる。紫外線吸収機能を有する場合は、外光に含まれる紫外線によるスクリーンの黄変を防止できる。防汚機能を有する場合は、スクリーンの表面に汚れが付着することを防止できる。着色や減光機能を有する場合は、コントラストの向上を図ることができる。
なお、このような機能を有する層は１つでもよいし、複数設けてもよく、使用環境等に応じて適宜選択して組み合わせて用いてよい。また、表面機能層がこれらの機能を併せ持つ形態としてもよい。さらに、レンズ基材層１１６やレンズ層２１が十分な耐傷性を有するならば、表面機能層を設けず、レンズ基材層１１６やレンズ層２１の観察面側表面に微細な凹凸形状を形成し、防眩機能等を付与する形態としてもよい。
【００６８】
（１２）各実施形態において、反射スクリーン１０が接合層５４を介して支持板５５に接合される例を示したが、これに限らず、例えば、接合層５４を再剥離再貼付可能な粘着層としてもよい。このような形態とすれば、例えば、汎用のホワイトボードの表面に必要に応じて反射スクリーンを貼付し、使用することができる。
【００６９】
なお、本実施形態及び変形形態は、適宜組み合わせて用いることもできるが、詳細な説明は省略する。また、本発明は以上説明した各実施形態によって限定されることはない。
【符号の説明】
【００７０】
１    インタラクティブボードシステム
１０，２０    反射スクリーン（ボード）
１１，２１    レンズ層
１１１    単位レンズ
１１２    レンズ面
１１３    非レンズ面
１１４    反射層
１２    接合層
１３    タッチパネル層
１３３    導電パターン層
５０    インタラクティブボード
５１    支持部材
５４    接合層
５５    支持板
【図１】
0005573551.tif 000002
【図２】
0005573551.tif 000003
【図３】
0005573551.tif 000004
【図４】
0005573551.tif 000005
【図５】
0005573551.tif 000006
【図６】
0005573551.tif 000007
【図７】
0005573551.tif 000008